(57)【要約】【課題】肌色を美しく見せる色相、明度及び艶の関係について、一般消費者に広く適用することのできる新たな関係を見出し、その関係を活かして肌色がより美しく見えるファンデーションを顧客に推奨する。【解決手段】顧客の肌を測色し、その測色結果に基づいて顧客に推奨する肌色の色相と明度を定め、次いでその色相と明度を有する肌色に、明度と艶強度との正の相関関係に基づいて好ましい艶強度を与え、それにより得られる肌色を顧客に推奨し、さらにその肌色を顧客の肌で実現するのに適したファンデーションを推奨する。【選択図】図１
2005222405.tif 000002
【特許請求の範囲】
【請求項１】
顧客に好ましい肌色を与えるファンデーションの推奨方法であって、顧客の肌色に基づいて顧客に提示する肌色の色相と明度を定め、次いでその色相と明度を有する肌色に、明度と艶強度との正の相関関係に基づいて好ましい艶強度を与え、それにより得られる肌色を顧客に提示し、その肌色を顧客の肌で実現するのに適したファンデーションを推奨する方法。
【請求項２】
顧客に特定の肌色を提示するにあたり、顧客自身の顔画像又はモデルの顔画像の肌色を、顧客に提示する肌色に変更したシミュレーション画像を形成する請求項１記載のファンデーションの推奨方法。
【請求項３】
顧客に特定のファンデーションを推奨するにあたり、顧客の顔画像又はモデルの顔画像を基にして、そのファンデーションを施した場合のシミュレーション画像を形成する請求項１記載のファンデーションの推奨方法。
【請求項４】
顧客の顔画像を撮影し、その画像データを内部反射光画像と表面反射光画像に分離し、一方、ファンデーションによる顔画像の変化データとして内部反射光の変化データと表面反射光の変化データとを取得しておき、前記内部反射光画像と該内部反射光の変化データとを合成して内部反射光修正画像を形成し、前記表面反射光画像と該表面反射光の変化データとを合成して表面反射光修正画像を形成し、得られた内部反射光修正画像と表面反射光修正画像を合成することにより、顔にファンデーションを施したシミュレーション画像を形成する請求項１記載のファンデーションの推奨方法。
【請求項５】
(A)肌の測色装置、
(B)偏光を用いて顧客の顔画像を撮る撮影装置、
(C)顧客がファンデーションを顔に施した場合のシミュレーション画像を形成すると共に、ファンデーションを顔に施した場合の顔画像の変化データとファンデーションの品番とを関連づける演算装置、及び
(D)シミュレーション画像を表示する表示装置、
からなるファンデーションの推奨システムであって、
前記演算装置(C)はシミュレーション画像の形成において、
(a)顧客の顔画像から内部反射光画像と表面反射光画像を抽出し、
(b)抽出した内部反射光画像と、ファンデーションによる顔画像の内部反射光の変化データとを合成して内部反射光修正画像を形成し、
(c)抽出した表面反射光画像と、ファンデーションによる顔画像の表面反射光の変化データとを合成して表面反射光修正画像を形成し、
(d)内部反射光修正画像と表面反射光修正画像を合成してシミュレーション画像を形成し、
前記内部反射光の変化データが肌色の明度を含み、
前記表面反射光の変化データが艶強度を含み、また、
演算装置(C)は、明度と艶強度との正の相関関係に基づいて艶強度を変化させることができるファンデーションの推奨システム。
【発明の詳細な説明】
【技術分野】
【０００１】
本発明は、化粧品販売店の店頭等において、顧客に好ましいファンデーションを推奨する方法、及びその方法を実施するシステムに関する。
【背景技術】
【０００２】
肌の印象を決める要素には、明るさや色の他に艶のあることが知られており、例えば、非特許文献１には、特定ブランド名の下に種々の色相や明度のファンデーションを取りそろえたファンデーション群において、明度の明るい色白の肌を作るファンデーションは、艶感を抑えるのが好ましく、また、明度の暗い、濃い色のファンデーションは、艶感を高めるのが好ましい旨記載されている。
【０００３】
また、化粧品の販売員又は美容部員が顧客に特定のファンデーションを推奨するにあたり、そのファンデーションで顧客が化粧した場合の印象を顧客に認識してもらうため、顧客がファンデーションで化粧を施したシミュレーション画像を形成する方法が種々提案されており（特許文献１、特許文献２）、その中には、顧客の顔画像に対して、色相や明度だけでなく、艶もシミュレーションする方法がある（特許文献３）。
【０００４】
【非特許文献１】'97秋冬のビューティー読本 スキンケア・ファンデーション、４８〜４９頁、株式会社資生堂、１９９７年９月２１日発行
【特許文献１】特開２０００−１９４８３５号公報
【特許文献２】特開２００１−２３８７２７号公報
【特許文献３】特開２００３−２５６８１２号公報
【発明の開示】
【発明が解決しようとする課題】
【０００５】
上述のように、従来、化粧肌の印象に影響を与える要素として、色相や明度の他に艶も認識されている。この艶に関しては、同一の表面反射光量を付加した場合に知覚される光沢強度（艶強度）が下地の明度によって異なることも認識されている。これらの知見をファンデーションの仕上がりにおける肌色と艶の関係に応用すると、同じ艶量を付与したファンデーションの仕上がりでは、色黒の肌では艶強度がより強く、色白の肌では艶強度がより弱く感じられると考えられる。
【０００６】
上記非特許文献１における記述によれば、付与する艶量が色黒の肌では多く、色白の肌では少なくする方向の仕上がりが推奨されている。しかしながら、このような艶量の付与によると、知覚される艶としては、色黒の肌ではより強く、色白の肌ではより弱く感じられ、前者では仕上がりにおけるギラツキやテカリが生じ、後者では仕上がりにおけるハリのなさにつながる。
【０００７】
これに対し、本発明は、一般消費者に好ましい仕上がりと知覚される明度及び艶の最適な関係を見出し、その知見に基づいて肌色がより美しく見えるファンデーションを顧客に推奨できるようにすることを目的とする。
【課題を解決するための手段】
【０００８】
本発明者らは、ファンデーションの仕上がりにおける肌色と艶の関係について、一般消費者に広く適用することのできる最適な関係を検討した結果、色黒の肌では艶付与量が少なく、色白の肌では艶付与量が多い仕上がりが好まれるという関係を見出した。即ち、種々の肌色のうち、一般消費者が美しいと感じる肌色には、明度と艶強度に正の相関関係があること、したがって、ある色相、明度、艶強度の肌色に対し、顧客が同じ色相でより明度の高い肌色を好んだ場合、艶強度もより高いものを推奨するのが好ましいことを見出し、本発明を完成させた。
【０００９】
そこで、本発明は、顧客に好ましい肌色を与えるファンデーションの推奨方法であって、顧客の肌色に基づいて顧客に提示する肌色の色相と明度を定め、次いでその色相と明度を有する肌色に、明度と艶強度との正の相関関係に基づいて好ましい艶強度を与え、それにより得られる肌色を顧客に提示し、その肌色を顧客の肌で実現するのに適したファンデーションを推奨する方法を提供する。
【００１０】
さらに、本発明は、上述のファンデーションの推奨方法を実施するシステムとして、
(A)肌の測色装置、
(B)偏光を用いて顧客の顔画像を撮る撮影装置、
(C)顧客がファンデーションを顔に施した場合のシミュレーション画像を形成すると共に、ファンデーションを顔に施した場合の顔画像の変化データとファンデーションの品番とを関連づける演算装置、及び
(D)シミュレーション画像を表示する表示装置、
からなるファンデーションの推奨システムであって、
前記演算装置(C)はシミュレーション画像の形成において、
(a)顧客の顔画像から内部反射光画像と表面反射光画像を抽出し、
(b)抽出した内部反射光画像と、ファンデーションによる顔画像の内部反射光の変化データとを合成して内部反射光修正画像を形成し、
(c)抽出した表面反射光画像と、ファンデーションによる顔画像の表面反射光の変化データとを合成して表面反射光修正画像を形成し、
(d)内部反射光修正画像と表面反射光修正画像を合成してシミュレーション画像を形成し、
前記内部反射光の変化データが肌色の明度を含み、
前記表面反射光の変化データが艶強度を含み、また、
演算装置(C)は、明度と艶強度との正の相関関係に基づいて艶強度を変化させることができるファンデーションの推奨システムを提供する。
【発明の効果】
【００１１】
本発明のファンデーションの推奨方法によれば、ファンデーションを顧客に推奨するのに先立ち、特定の化粧肌の肌色を顧客に推奨するにあたり、顧客に推奨する肌色が、明度と艶強度との好ましい関係として予め取得されている正の相関関係を満たす。したがって、色相、明度及び艶強度の組合せに関し、肌色が最も美しく見えるファンデーションを顧客に推奨することができる。
【００１２】
また、本発明のファンデーションの推奨システムによれば、上述のファンデーションの推奨方法を実施することができる。特に、実施に際し、推奨するファンデーションを顧客が顔に施した場合のシミュレーション画像が形成されるので、顧客は、そのファンデーションを顔に施した場合の印象を正確に認識することができる。
【発明を実施するための最良の形態】
【００１３】
以下、図面を参照しつつ本発明を詳細に説明する。
【００１４】
図１は、本発明のファンデーションの推奨方法を実施するのに好適なファンデーションの推奨システムの概略構成図である。
【００１５】
このシステムは、肌を測色する測色装置１、必要により偏光を用いて顧客の顔画像を撮る撮影装置２、顧客がファンデーションを顔に施した場合のシミュレーション画像を形成すると共に、ファンデーションを顔に施した場合の顔画像の変化データとファンデーションの品番とを関連づける演算装置３、シミュレーション画像やファンデーションの製品情報等を表示する表示装置４からなり、さらに必要に応じて表示装置４で表示される内容を印刷するプリンタ５が接続される。
【００１６】
本発明のファンデーションの推奨方法では、好ましくは、まず、測色装置１で顧客の肌を測色し、その測色結果に基づき、ファンデーションを施した化粧肌の肌色として、顧客に推奨する肌色の色相と明度を定める。通常、この肌色は、測色された顧客の肌色と同色、又は顧客の好みにより色相や明度を測色結果から変化させた色とする。
【００１７】
顧客に推奨する肌色の色相や明度を定めるにあたり、これらは必ずしも厳密に数値で特定されていなくてもよい。予め、色相や明度を変化させた複数の色見本（例えば、１つの色相ごとに、明度を、白色、標準、黒色の３群に分けた色見本）を用意し、その中から顧客の肌色に近いもの、あるいは顧客の要望に添ったものを適宜選択することにより、顧客に推奨する肌色の色相と明度としてもよい。
【００１８】
こうして顧客に推奨する肌色の色相と明度を定めた後、その肌色に、好ましい艶強度を与える。本発明は、この艶強度の定め方が特徴的であり、予め画像を用いたアンケート調査により取得した、明度と艶強度との好ましい関係、即ち、明度と艶強度との正の相関関係に基づいて艶強度を定める。
【００１９】
ここで、艶強度とは、ファンデーションを塗布した肌の表面反射光の強度をいい、表面反射光画像における顔領域あるいは顔部分（頭髪、眉毛、眼球、唇を除く）の平均明度をいう。
【００２０】
色相とは、ファンデーションを塗布した肌の内部反射光の色相をいい、例えば、内部反射光画像における頬下部（目尻から垂直に下ろした直線と、口角から真横に引いた直線との交点付近）１ｃｍ四方の肌色領域の平均色相を使用することができる。
【００２１】
明度とは、ファンデーションを塗布した肌の内部反射光の明度をいい、例えば、内部反射光画像における頬下部（前記と同じ）１ｃｍ四方の肌色領域の平均明度を使用することができる。
【００２２】
明度と艶強度が正の相関関係にあるとは、図２に示すように、或色相において明度が高くなると（白っぽくなると）、その明度の高い肌色を最も美しく見せる艶強度も高くなり、同じ色相で明度が低くなると（黒っぽくなると）、その明度の低い肌色を最も美しく見せる艶強度は低くなる傾向を有することをいう。
【００２３】
この傾向は、図４に示すように、画面の半分に、特定の色相、明度、艶強度を有する顔画像を示し、画面の残り半分に同じ色相と明度で艶強度が異なる顔画像を画像処理により形成し、いずれが美しく感じられるかという質問を、種々の色相と明度について２０歳〜３９歳の１６名の女性にアンケート調査することにより得られたものである。図３は、このアンケート調査を、シェフェの一対比較法による尺度解析した結果である。同図から、赤っぽい肌色は、明度が高い場合（赤白）、その肌色の艶強度を画像処理により艶強度を増減させないデフォルト値に対して１０％高くした場合に、最も美しく感じられるのに対し、明度が低い場合（赤黒）には、その肌色の艶強度を画像処理により艶強度を増減させないデフォルト値の場合に、最も美しく感じられることを示しており、上述の肌色を美しく見せる明度と艶強度との関係を支持している。同様に黄色っぽい肌色についての結果も、上述の肌色を美しく見せる明度と艶強度との関係を支持している。
【００２４】
なお、本発明において、顧客に推奨する肌色の色相と明度を定めた後、その肌色に、明度に相関させた艶強度を与える場合に、明度の増減に伴って艶強度を増減させる程度は、前述のアンケート調査の結果に従って定めればよい。通常、日本人女性の肌において、明るさの分布は正規分布に近く、平均の明るさは明度で６．５程度、標準偏差は０．３程度である。アンケート調査の結果は、回答者の年齢、顔立ち、化粧の好み等にもよるが、この正規分布に照らして肌の明度を平均値よりも０．３増加あるいは減少させた肌色が最も美しく見えるのは、その艶強度を５〜２０％増加あるいは減少させたときとなる。したがって、例えば、特定の色相範囲の肌色を、その明度によって「高」、「標準」、「低」の３群に分け、明度が「高」の肌色には「標準」の肌色よりも１０％艶強度を高くし、明度が「低」の肌色には「標準」の肌色よりも１０％艶強度を低くすればよい。なお艶強度の増減の程度は、変角分光測色器でファンデーション塗膜の光沢強度（表面反射強度）を測定することにより確認することができ、ここに変角分光測色器としては、例えばＧＣＭＳ（村上色彩技術研究所製）を用いることができる。
【００２５】
顧客に推奨する肌色の色相、明度及び艶強度が定まり、その肌色について顧客に確認を求める場合には、その肌色に、顧客自身の顔画像あるいはモデルの顔画像の肌色を変更したシミュレーション画像を形成するのが好ましい。これにより、顧客は、推奨された肌色が自分に好ましいものであるか否かを容易に確認することができる。
【００２６】
このシミュレーション画像の形成方法については、特に制限はなく、公知の手法を用いることができる（特許文献１、特許文献２、特許文献３等）。例えば、偏光を用いて撮影装置２で顧客又はモデルの素顔又は化粧顔の顔画像を撮り、演算装置３で、その顔画像を内部反射光画像と表面反射光画像に分離し、内部反射光画像を、推奨する肌色の色相や明度に応じて修正し、一方、表面反射光画像を、推奨する肌色の艶強度に応じて修正し、その修正した内部反射光画像と表面反射光画像とを合成することによりシミュレーション画像を形成し、表示装置４に出力する。
【００２７】
推奨する肌色を顧客が好ましい肌色として了解した場合には、その肌色を顧客の肌で実現するのに適した既存の製品としてのファンデーションを推奨する。そのため、演算装置３では、予め、種々のファンデーションについて、それを顔に施した場合の顔画像の変化データと、そのファンデーションのブランド名、品番、メーカー名、製品説明等とを関連づけたデータベースを使用できるようにしておく。
【００２８】
一般に、市販されているファンデーションは、特定ブランド名の下に色相、明度及び艶が異なる複数のファンデーションが品揃えされたファンデーション群を構成しているが、ここで推奨するファンデーションは、明度と艶強度が正の相関関係を有するように調整されているファンデーション群から選ぶことが好ましい。これにより、顧客に推奨した肌色を顧客の肌で実現することのできる市販のファンデーションを容易に選択することができる。なお、ファンデーションにおいて艶強度の調整は、パール顔料や油分の種類や量を変化させることにより行うことができる。
【００２９】
また、製品としてのファンデーションを顧客に推奨するに際しては、そのファンデーションを顧客が顔に施した場合の化粧肌の色と、前述の顧客に推奨した肌色にずれのある場合があるので、そのファンデーションを顧客が顔に施した場合のシミュレーション画像を形成し、顧客がそのファンデーションを顔に施した場合の印象を確認できるようにすることが好ましい。あるいはモデルの顔画像を基にして、そのファンデーションを顔に施した場合のシミュレーション画像を形成してもよい。
【００３０】
推奨するファンデーションを顧客が顔に施した場合のシミュレーション画像の形成方法も公知の手法を用いることができ（特許文献３）、例えば、偏光を用いて撮影装置２で顧客の素顔又は化粧顔の顔画像を撮り、演算装置３で、その顔画像のデータを内部反射光画像と表面反射光画像に分離し、一方、ファンデーションによる顔画像の変化データとして、色相、明度等に関する内部反射光の変化データと艶強度等に関する表面反射光の変化データとを取得しておき、内部反射光画像と内部反射光の変化データとを合成して内部反射光修正画像を形成し、表面反射光画像と表面反射光の変化データとを合成して表面反射光修正画像を形成し、内部反射光修正画像と表面反射光修正画像を合成することによりシミュレーション画像を形成する。
【００３１】
なお、本発明のファンデーションの推奨方法において、顧客が希望する化粧肌の肌色の選定から、推奨するファンデーションを顧客に提示する各段階は、顧客が納得するまで繰り返し行うことができる。
【産業上の利用可能性】
【００３２】
本発明は、店頭販売等において、顧客に好ましいファンデーションを推奨する場合に有用である。
【図面の簡単な説明】
【００３３】
【図１】ファンデーションの推奨システムの概略構成図である。
【図２】肌色の明度と艶強度の一般的な関係図である。
【図３】シェフェの一対比較法により尺度解析したアンケート調査の結果である。
【図４】アンケート調査方法の説明図である。
【符号の説明】
【００３４】
１    測色装置
２    撮影装置
３    演算装置
４    表示装置
５    プリンタ
【図１】
2005222405.tif 000003
【図２】
2005222405.tif 000004
【図３】
2005222405.tif 000005
【図４】
2005222405.tif 000006